(57)【要約】   【課題】  手から抜け落ちることがなく、使い勝手のよい払拭布を提供する。  【解決手段】  本発明の払拭布１は、手を挿入することができるように袋状に成形された払拭布１である。この払拭布１は、挿入した手の親指を内側から外側に露出させるための親指露出孔１２を有しており、この親指露出孔１２から親指を露出させて、払拭作業を行う際に、露出させた親指が、払拭布１に対するひっかかりとなる構造を有する。この払拭布１によれば、払拭布１に手を挿入して使用する場合に、親指が払拭布１に対してひっかかりとなるため、払拭布１が手から脱け落ちにくくなり、より使いやすいものとなる。  【選択図】  図３
2005080715.tif 000002
【特許請求の範囲】
【請求項１】
手を挿入することができるように袋状に成形された払拭布であって、
挿入した手の親指を内側から外側に露出させるための親指露出孔を有しており、
この親指露出孔から親指を露出させて、払拭作業を行う際に、前記露出させた親指が、前記払拭布に対するひっかかりとなる構造を有する、
払拭布。
【請求項２】
前記親指露出孔は、払拭面を軸として対称となる部位に二つ設けられている、
請求項１記載の払拭布。
【請求項３】
手を挿入した場合の手のひら側の払拭面及び手の甲側の払拭面と、これを裏返して手を挿入した場合の手のひら側の払拭面及び手の甲側の払拭面との、四つの払拭面を有する、
請求項２記載の払拭布。
【請求項４】
前記四つの払拭面のうち、少なくとも一つの払拭面が、その太さが１デニール以下の極細繊維を使用して構成される、  
請求項３記載の払拭布。
【請求項５】
前記極細繊維により構成されている前記一つの払拭面は、前記払拭布に手を挿入した際の手から近い位置の繊維の色と前記手から遠い位置の繊維の色が異なるように構成されており、前記一つの払拭面が使用によって摩耗するにつれて、その色が変わる、
請求項４記載の払拭布。  
【請求項６】
前記払拭布は、伸縮性を有する編み地により成形されている、
請求項１ないし５記載の払拭布。
【請求項７】
前記払拭布は、一体縫製されている、
請求項１ないし６記載の払拭布。
【請求項８】
親指を除いた指の、少なくとも一本以上を挿入できるように袋状に成形された袋本体と、前記袋本体に前記指のいずれか一本以上を挿入した際に、前記袋本体が前記指から抜け落ちるのを防止するための係止帯とを有しており、
前記係止帯は、前記袋本体を親指に係止できるようになっている、
払拭布。
【発明の詳細な説明】
【技術分野】
【０００１】
本発明は、顔や身体に付着した皮脂等の汚れを払拭するために使用する、払拭布に関する。
【背景技術】
【０００２】
顔や身体に付着した皮脂等の付着物を払拭するための払拭布としては、従来よりタオルや手ぬぐい等が知られている。このタオル等はその払拭面が広いことから、顔や身体の全体的な汚れ等を落とすのに最適である。これに対して、顔や身体の一部分を重点的に払拭したい場合には、その一部分を指先でつまんで払拭したい部分を払拭する必要があり、顔等の一部のみの払拭には適していない。
このことから、顔や身体の一部を重点的に払拭すべく、袋状に成形されている払拭布が存在する。この払拭布は、この中に手を指先から挿入した状態で、手の指の内側または手のひら側の払拭面で顔等を払拭できるようになっている。このような払拭布の一例を、図６に示す。この払拭布１００は、図に示すように、袋状に成形されており、挿入口１０１から手を挿入することができるようになっている。
図７は、この払拭布１００に、ユーザの手を挿入した状態を示す図である。本払拭布１００は、このように５本の指全てを挿入した状態で、その手のひら側の払拭面により払拭するようになっている。
このような払拭布１００によれば、その一部分を指先でつまんで払拭するのではなく、手のひら側の払拭面を払拭したい部分に押し当て、指を挿入した方向または幅方向に動かすことにより払拭することができるため、払拭したい部分を的確に払拭することができ、顔等の一部の重点的な払拭に適している。
【０００３】
しかし、このような形状の払拭布１００は、払拭したい部分に払拭布１００を押し当てた状態で指を挿入した方向と反対方向に動かす場合、払拭布を手に係止するひっかかりがないため、払拭布１００が手から脱け落ち易いという不都合があった。
【発明の開示】
【発明が解決しようとする課題】
【０００４】
本発明は、以上の点に鑑みてなされたもので、手から抜け落ちることがなく、使い勝手のよい払拭布を提供することを、その課題とする。
【課題を解決するための手段】
【０００５】
かかる課題を解決するための本発明の払拭布は、以下のようなものである。
すなわち、手を挿入することができるように袋状に成形された払拭布であって、挿入した手の親指を内側から外側に露出させるための親指露出孔を有しており、この親指露出孔から親指を露出させて、払拭作業を行う際に、前記露出させた親指が、前記払拭布に対するひっかかりとなる構造を有する払拭布である。
【０００６】
このような親指露出孔を有する払拭布によれば、親指をこの親指露出孔から露出させて払拭作業を行う際に、露出させた親指が、前記払拭布に対するひっかかりとなるため、払拭布を手から脱け落ちにくくすることができる。
【０００７】
この親指露出孔は、払拭面を軸として対称となる部位に二つ設けられていてもよい。
一般的に、袋状の払拭布は、これに利き手を挿入し、その手のひら側の払拭面で払拭するようにして使用するため、親指露出孔が一つ設けられている払拭布は、利き手を挿入した場合の手の甲側の払拭面が有効に使用されないことが考えられる。
これに対して、親指露出孔が払拭面を軸として対称となる部位に二つ設けられた払拭布によれば、一方の親指露出孔に親指を入れた場合の手のひら側の払拭面は、他方の親指露出孔に親指を入れた場合の手の甲側の払拭面に相当するため、片側の面だけでなく、両側の払拭面を有効に使用することができる。
【０００８】
この袋状の払拭布は、手を挿入した場合の手のひら側の払拭面及び手の甲側の払拭面と、これを裏返して手を挿入した場合の手のひら側の払拭面及び手の甲側の払拭面との、四つの払拭面を有するように構成することもできる。こうすれば、裏側の両面も払拭面として使用することができるようになる。
【０００９】
また、この払拭面となる前記四面のうち、少なくとも一面をその太さが１デニール以下の極細繊維により構成してもよい。
タオル等には綿素材のものが多いが、綿を使用した繊維は、繊維の断面形状が円形であり、繊度も太いため、皮脂や角質を除去する効果が充分であるとはいえない。皮脂や角質を除去する効果を高めるためには、繊度の細いシルクや極細繊維を使用することが有効であるため、払拭布に極細繊維を使用すれば、顔やひざ等の角質を効果的に除去することができる。
このことから、上述のように払拭面となる前記四面のうち、少なくとも一つの払拭面を極細繊維により構成すれば、顔等の角質を除去したい場合にこの払拭面を使用することにより、効果的に角質を除去することができる。
四つの払拭面をすべて極細繊維を用いて構成することもできるが、極細繊維を使用していない払拭面を有するように構成してもよい。こうすれば、通常は、極細繊維を使用していない払拭面で洗顔等を行い、角質を除去したい場合には、極細繊維を使用した払拭面で払拭することができ、目的に応じて払拭面を使い分けられるようになるため、使いやすさが向上する。
なお、この場合、極細繊維により構成される払拭面の色と、それ以外の繊維により構成される払拭面の色とがお互いに異なるように構成してもよい。こうすれば、ユーザが一目でどちらの払拭面か把握することができ、より使いやすいものとなる。
【００１０】
また、前記極細繊維により構成されている前記一つの払拭面は、前記払拭布に手を挿入した際の手から近い位置の繊維の色と前記手から遠い位置の繊維の色が異なるように構成されており、前記一つの払拭面が使用によって摩耗するにつれて、その色が変わるようにしてもよい。
こうすれば、ユーザが極細繊維により構成されている払拭面の摩耗度合いを、視覚的に把握することができ、使いやすくなる。
より具体的には、例えば、払拭布に手を挿入した際の手から近い位置の色と前記手から遠い位置の色が異なるように編み目を構成してもよいし、異なる色の不織布または織物が積層してなる複合布を用いてもよい。  
【００１１】
以上のような払拭布は、伸縮性を有する編み地により成形することが好ましい。
伸縮性を有する編み地により成形すれば、手を挿入して使用する際、払拭布を手にフィットさせることができ、使い勝手を良くすることができる。
伸縮性は、少なくとも、挿入した人差し指ないし小指の幅方向にあればよい。
【００１２】
また、前記払拭布は、一体縫製されていてもよい。一体縫製された払拭布を使用すれば、少なくとも払拭布の表側の払拭面に縫製箇所がないように成形することができるため、表側のどの箇所でも滑らかに払拭することができる。
一体縫製された払拭布としては、例えば、丸編み地により成形された払拭布がある。
【００１３】
また、本発明の他の払拭布は、親指を除いた指の、少なくとも一本以上を挿入できるように袋状に成形された袋本体と、前記袋本体に前記指のいずれか一本以上を挿入した際に、前記袋本体が前記指から抜け落ちるのを防止するための係止帯とを有しており、前記係止帯は、前記袋本体を親指に係止できるようになっている。
このような係止帯を有する払拭布によれば、上述の親指露出孔を有する払拭布と同様に、袋本体が指から抜け落ちることを防止することができる。
この払拭布は、伸縮性を有する編み地によって成形されていてもよいし、一体縫製されていてもよい。
また、袋本体に指を挿入した場合の指の内側及び指の外側の払拭面と、これを裏返して指を挿入した場合の指の内側及び指の外側の払拭面との、四つの払拭面を有するようになっていてもよい。
さらに、この払拭布の払拭面の少なくとも一面を、極細繊維を使用して構成してもよい。
【発明の効果】
【００１４】
本発明の払拭布によれば、払拭布が手から抜け落ちることがなく、使いやすくなる。
【発明を実施するための最良の形態】
【００１５】
以下、図面を参照して、本発明の払拭布の実施形態について説明する。
＜第一実施形態＞
図１は、本実施形態の払拭布１を示した正面図であり、図２は、本実施形態の払拭布１を示した平面図である。
本実施形態の払拭布１は、手を指先から挿入できるように袋状に成形され、略長方形の二枚の布を張り合わせたような形状とされており、挿入口１１と、親指露出孔１２と、ストラップ１３とを有している。
【００１６】
挿入口１１は、払拭布１に手を挿入する開口端であり、払拭布１の一方の短辺側が挿入口１１となっている。なお、払拭布１の他方の短辺側は、本実施形態では、人差し指ないし小指のそれぞれの長さを考慮して、山形に突出した形状とされている。この挿入口１１側となる一方の短辺側の幅は、他方の短辺側の幅よりもわずかに広くなっており、手を指先から挿入しやすくなっている。
親指露出孔１２は、払拭布１に挿入した手の親指を、内側から外側に露出させるためのものであり、この親指露出孔１２から親指を露出させて、払拭作業を行う際に、露出させた親指が、払拭布に対するひっかかりとなるようになっている。この親指露出孔１２は、払拭布１の一方の長辺の、挿入口１１寄りの位置に設けられている。この挿入口１１及び親指露出孔１２の周縁部は、レースまたはテープによって縁取りされている。
ストラップ１３は、払拭布１を不使用時にフック等に係止しておくためのものであり、本実施形態ではレースまたはテープにより構成されている。このストラップ１３は、ループ状に成形されており、親指露出孔１２が設けられている長辺側の挿入口１１の端部がループの始点と終点となるように成形されている。
払拭布１を使用する場所、例えば洗面所等の壁にフック等を設けておき、払拭布１を使用しない際には、フック等に、図２に示すストラップ１３のループ孔１３ａを通し、払拭布１をフック等に係止することができるようになっている。
【００１７】
この払拭布１は、伸縮性を有する丸編み地により一体縫製されており、挿入した人差し指ないし小指の幅方向に伸縮すると共に、長さ方向にも伸縮するようになっている。
払拭布１は、表側の二面と、裏側の二面の、合計四面が払拭面として使用できるようになっている。本実施形態の払拭布１は、表側の二つの払拭面が極細繊維を使用して構成されており、裏側の二つの払拭面が極細繊維ではない繊維により構成されている。より具体的には、本実施形態の表側の二つの払拭面は、ポリエステルとナイロンの割繊極細糸５５％、ナイロン４２％、ポリウレタン３％を使用して構成されており、裏側の二つの払拭面は、ポリエステル４２％、ナイロン５５％、ポリウレタン３％を使用して構成されている。
極細繊維としては、本実施形態では、ポリエステルとナイロンの割繊極細糸を使用するが、これに限られず、１デニール未満の繊維であればよい。
【００１８】
なお、払拭布１の払拭面は、これに限られず、例えば、表側の一面を極細繊維を使用した払拭面、他面を極細繊維を使用しない払拭面、裏側の一面を極細繊維を使用した払拭面、他面を極細繊維を使用しない払拭面としてもよいし、全ての面を極細繊維を使用した払拭面または極細繊維を使用していない払拭面としてもよい。
【００１９】
図３は、本実施形態の払拭布１の挿入口１１からユーザの右手を挿入し、親指露出孔１２に親指を内側から外側に露出させた状態を示す図である。この状態で、払拭布１の手のひら側の払拭面を洗浄したい部分に押し当て、挿入した人差し指ないし小指の長さ方向または幅方向に動かすことにより払拭する。
本実施形態の払拭布１によれば、払拭布１に手を挿入する際に、親指露出孔１２から、挿入した手の親指を内側から外側に露出させて、露出させた親指が、払拭布１に対するひっかかりとなるため、払拭布１が手から脱け落ちにくくなり、より使いやすいものとなる。
顔や身体の角質除去等を行う場合には、払拭布１の表側の払拭面が外側になるようにして手を挿入し、極細繊維を用いた表側の払拭面を使用する。
一方、特に角質除去等を行わず、通常の洗顔、洗浄等を行う場合には、これを裏返して、裏側の払拭面が外側になるようにして手を挿入し、極細繊維を用いていない裏側の払拭面を使用する。
このように、本実施形態の払拭布１は、使用目的に応じて使い分けることができる。
【００２０】
本実施形態の払拭布１は、以上のようなものとして構成したが、これに限られるものではなく、手を挿入することができるように袋状に成形されており、挿入した手の親指を内側から外側に露出させるための親指露出孔を有していればよい。
また、本実施形態の払拭布１は、極細繊維により構成される表側の払拭面の色と、それ以外の繊維により構成される裏側の払拭面の色とが、お互いに異なるように構成してもよい。こうすれば、ユーザが一目でどちらの払拭面か把握することができ、より使いやすいものとなる。
【００２１】
また、極細繊維を使用して構成されている表側の払拭面は、払拭布１に手を挿入した際の手から近い位置の繊維の色と手から遠い位置の繊維の色が異なるように構成されており、この払拭面が使用によって摩耗するにつれて、その色が変わるようにしてもよい。
こうすれば、ユーザが視覚的に摩耗度合いを把握することができ、使いやすくなる。
具体的には、例えば、払拭布に手を挿入した際の手から近い位置の色と前記手から遠い位置の色が異なるように編み目を構成してもよいし、異なる色の不織布または織物が積層してなる複合布を用いてもよい。  
【００２２】
また、挿入口１１または親指露出孔１２の周縁部は、ゴム等の伸縮性を有する部材により、縁取りされていてもよい。こうすれば、挿入口１１または親指露出孔１２に手または親指を挿入した場合、手に払拭布１をよりフィットさせることができるため、払拭布１の抜け落ちを防止することができる。
【００２３】
なお、極細繊維を用いた払拭面は、眼鏡のレンズ、カメラレンズ等のレンズ、テレビモニタ、パソコン、携帯電話等のディスプレイ、及び、鏡等に付着した汚れを払拭することもできる。
【００２４】
＜第二実施形態＞
図４は、本実施形態の払拭布２を示す図である。なお、図４では、第一実施形態と同一の部分については図１と同一の符号を付してある。
【００２５】
この図に示すように、本実施形態の払拭布２は、親指露出孔及びストラップを二つずつ有している点で第一実施形態と相違する。
一般的に、右手が利き手である人は、右手を払拭布に挿入した状態で使用し、左手が利き手である人は、左手を払拭布に挿入した状態で使用しがちである。このことから、上述の第一実施形態の払拭布１では、利き手を挿入した場合の手の甲側の払拭面が、裏表共に、有効に使用されないことが考えられる。
これに対し、本実施形態の払拭布２によれば、親指露出孔２２が二つ設けられているため、利き手の親指を一方の親指露出孔２２ａから露出させた状態の使用、及び、利き手の親指を他方の親指露出孔２２ｂから露出させた状態の使用ができる。ここで、一方の親指露出孔２２ａから親指を露出させた場合の手のひら側の払拭面は、他方の親指露出孔２２ｂから親指を露出させた場合の手の甲側の払拭面に相当するため、表側及び裏側の両面の、合計４つの払拭面をすべて有効に使用することができる。
なお、本実施形態では、ストラップ２３を二つ有するものとして成形したが、１つであっても構わない。
この払拭布２のユーザの手への取り付け方、使い方は、第一実施形態と同様である。
【００２６】
＜第三実施形態＞  
図５は、本実施形態の払拭布３の使用状態を示す図である。
【００２７】
この図に示すように、本実施形態の払拭布３は、人差し指ないし薬指の三本を、指先から挿入できるように袋状に成形されている。このように成形されている袋本体３１は、伸縮性を有する編み地により丸編みされ、一体縫製されており、挿入した人差し指ないし薬指の幅方向に伸縮すると共に、長さ方向にも伸縮するようになっている。
この払拭布３は、袋本体３１が人差し指ないし薬指から抜け落ちるのを防止するための係止帯３２を有する。
係止帯３２は、ループ状に成形されており、本実施形態では挿入口３３の一端部がループの始点と終点となるように成形されている。
この係止帯３２は、本実施形態では、伸縮性を有するゴムにより成形されている。図のように、この係止帯３２の孔３２ａに親指を通して、袋本体３１を親指に係止できるようになっている。
なお、この係止帯３２は、第一実施形態の払拭布１のストラップ１３のように、フック等に孔３２ａを通し、払拭布３をフック等に係止できるようになっている。
このように、本実施形態の払拭布３によっても、袋本体３１に指を挿入した状態で使用する際に、係止帯３２の孔３２ａに親指を通すことにより、上述の実施形態と同様、袋本体３１が親指に係止されるため、払拭布３が手から脱け落ちにくくなり、より使いやすいものとなる。
【００２８】
本実施形態では、係止帯３２は以上のようなものとして構成したが、袋本体３１が挿入した人差し指ないし薬指から抜け落ちるのを防止することができるものであればどのような素材、形状のものであってもよい。例えば、伸縮性のない紐を使用してもよい。
また、挿入口３３の他端部がそのループの始点と終点となるように成形された係止帯をさらに有し、この係止帯の孔に小指を通して、袋本体３１を小指にも係止できるようにしてもよい。こうすれば、払拭布３がさらに手から抜け落ちにくくなると共に、その払拭面の位置が使用によってずれることを防止することができ、より使いやすいものとなる。
また、この払拭布３は、第一実施形態の払拭布１のように、表側の二つの払拭面と、裏側の二つの払拭面の、合計四つの払拭面を有するように構成してもよい。
また、これらの払拭面のうち、いずれかの払拭面を極細繊維を用いて構成してもよい。
さらに、袋本体３１は、少なくとも挿入した人差し指ないし小指のいずれか一本以上を挿入できるようになっていればよい。
【図面の簡単な説明】
【００２９】
【図１】本発明の第一実施形態の払拭布の正面図。
【図２】本発明の第一実施形態の払拭布の平面図。
【図３】本発明の第一実施形態の払拭布の使用状態を示した図。
【図４】本発明の第二実施形態の払拭布を示した図。
【図５】本発明の第三実施形態の払拭布の使用状態を示した図。
【図６】従来の払拭布を示した図。
【図７】従来の払拭布の使用状態を示した図。
【符号の説明】
【００３０】
１，２，３，１００  払拭布
１１，３３，１０１  挿入口
１２，２２ａ，２２ｂ  親指露出孔
１３，２３  ストラップ
３１  袋本体
３２  係止帯
３２ａ  孔
【図１】
2005080715.tif 000003
【図２】
2005080715.tif 000004
【図３】
2005080715.tif 000005
【図４】
2005080715.tif 000006
【図５】
2005080715.tif 000007
【図６】
2005080715.tif 000008
【図７】
2005080715.tif 000009
【手続補正書】
【提出日】平成16年11月4日(2004.11.4)
【手続補正１】
【補正対象書類名】特許請求の範囲
【補正対象項目名】全文
【補正方法】変更
【補正の内容】
【特許請求の範囲】
【請求項１】
手を挿入することができるように袋状に成形された払拭布であって、
挿入した手の親指を内側から外側に露出させるための親指露出孔を有しており、
この親指露出孔から親指を露出させて、払拭作業を行う際に、前記露出させた親指が、前記払拭布に対するひっかかりとなる構造を有する、
払拭布。
【請求項２】
前記親指露出孔は、払拭面を軸として対称となる部位に二つ設けられている、
請求項１記載の払拭布。
【請求項３】
手を挿入した場合の手のひら側の払拭面及び手の甲側の払拭面と、これを裏返して手を挿入した場合の手のひら側の払拭面及び手の甲側の払拭面との、四つの払拭面を有する、
請求項２記載の払拭布。
【請求項４】
前記四つの払拭面のうち、少なくとも一つの払拭面は、その太さが１デニール以下の極細繊維を使用して構成される、  
請求項３記載の払拭布。
【請求項５】
前記極細繊維により構成されている前記一つの払拭面は、前記払拭布に手を挿入した際の手から近い位置の繊維の色と前記手から遠い位置の繊維の色が異なるように構成されており、前記一つの払拭面が使用によって摩耗するにつれて、その色が変わる、
請求項４記載の払拭布。  
【請求項６】
前記払拭布は、伸縮性を有する編み地により成形されている、
請求項１ないし５のいずれかの項記載の払拭布。
【請求項７】
前記払拭布は、一体縫製されている、
請求項１ないし６のいずれかの項記載の払拭布。
【請求項８】
親指を除いた指の、少なくとも一本以上を挿入できるように袋状に成形された袋本体と、前記袋本体に前記指のいずれか一本以上を挿入した際に、前記袋本体が前記指から抜け落ちるのを防止するための係止帯とを有しており、
前記係止帯は、前記袋本体を親指に係止できるようになっている、
払拭布。